(57)【特許請求の範囲】
【請求項１】
把持部の外側で露出する指当部の内側には、指当部を把持部の外側から押さえた際に指当部の状態を変化し得るように変態許容室を設けるとともに、把持部の内側で開放された開口のうち少なくとも一部を塞ぐ蓋を設け、この変態許容室は指当部の内面と蓋の内面との間で形成されていることを特徴とする手動利器の柄。
【請求項２】
前記変態許容室の内面には指当部の内面に対向する突部を設けていることを特徴とする請求項１に記載の手動利器の柄。
【請求項３】
前記指当部の外面は把持部の外側へ膨らんで突出していることを特徴とする請求項１または請求項２に記載の手動利器の柄。
【請求項４】
前記把持部には刃体を支持する刃体支持部を取着したことを特徴とする請求項１から請求項３のうちいずれか一つの請求項に記載の手動利器の柄。
【発明の詳細な説明】
【技術分野】
【０００１】
本発明はカッターなどの手動利器における柄に関するものである。
【背景技術】
【０００２】
従来、下記特許文献１に開示されたカッターにおいて、柄部本体の前側には軟質樹脂からなる指当部が一体成形されている。
【先行技術文献】
【特許文献】
【０００３】
【特許文献１】特許第４１７１６８２号公報
【発明の概要】
【発明が解決しようとする課題】
【０００４】
上記特許文献１では、柄を把持して指当部に指を当てがった際に指が柄に馴染んで使い勝手を良くするフィット感をある程度得ることができる。しかし、指当部の内面の全体が柄部本体の外面に直接接触した状態で成形されるため、厚みの薄い指当部となって指当部を押さえた際にほとんど変形せず、しかも指当部の材質によって決定される指当部の表面状態だけが指への感触を左右し、そのフィット感の良し悪しは指当部の材質に影響されていた。
【０００５】
この発明は、柄を把持した際にフィット感をより一層向上させて使い勝手を良くすることを目的としている。
【課題を解決するための手段】
【０００６】
後記実施形態の図面（図１〜４）の符号を援用して本発明を説明する。
請求項１の発明にかかる手動利器の柄１において、把持部２の外側で露出する指当部２６の内側には、指当部２６を把持部２の外側から押さえた際に、指当部２６の状態を変化し得るように変態許容室２７、例えば、指当部２６が指当部２６の内側に変形し得るように変形許容室２７を設けている。従って、柄１を把持して指当部２６に指を当てがった際に、指当部２６の状態が変態許容室２７により変化、例えば、指当部２６が変形許容室２７により変形するので、指が柄１に馴染んでフィット感を良くすることができる。また、指当部２６を弾性体により成形した場合には指当部２６がその弾性により非押圧状態に復帰するので、頻繁に使用しても同じ状態の感触を得てより一層フィット感を良くすることもできる。通常、変形許容室２７内には空気が充満しているが、指当部２６の変形を許容することができれば、充填材として、空気以外の気体や気体以外の液体または固体を変形許容室２７内に充填させてもよい。その変形許容室２７内で生じる充填材の圧力により指当部２６が非押圧状態に復帰するので、頻繁に使用しても同じ状態の感触を得てより一層フィット感を良くすることもできる。
【０００７】
さらに、請求項１の発明にかかる手動利器の柄１においては、把持部２の内側で開放された開口１３のうち少なくとも一部を塞ぐ蓋６を設け、この変態許容室２７例えば変形許容室２７は指当部２６の内面と蓋６の内面との間で形成されている。従って、把持部２の内側で開放された開口１３を塞ぐ蓋６を設けたので、指当部２６の内側に変態許容室２７例えば変形許容室２７を容易に成形することができるとともに、指当部２６の内面が蓋６の内面に当接して指当部２６の状態変化例えば変形を適度に抑制し、より一層フィット感を良くすることもできる。また、開口１３と蓋６との間に隙間を生じさせた場合には変態許容室２７例えば変形許容室２７の空気抜けとなり、より一層フィット感を良くすることもできる。
【０００８】
請求項１の発明を前提とする請求項２の発明において、前記変形許容室２７の内面には指当部２６の内面に対向する突部１９を設けている。請求項２の発明では、指当部２６に当てがった指が変形許容室２７内の突部１９に引掛かったり、指当部２６が変形した際に指当部２６の内面が突部１９に当接してその突部１９の感触を指当部２６を介して確かめることもでき、より一層フィット感を良くすることもできる。
【０００９】
請求項１または請求項２の発明を前提とする請求項３の発明において、前記指当部２６の外面は把持部２の外側へ膨らんで突出している。請求項３の発明では、把持部２の外側へ膨らんで突出する指当部２６の外面に指を当てがった際に指が柄１に馴染み易くなり、より一層フィット感を良くすることもできる。また、変態許容室２７例えば変形許容室２７をより一層確保することができるため、指当部２６の変態量例えば変形量を多くすることができ、種々の指の大きさや形状に対しフィットさせ易い。さらに、指当部２６の位置を視覚的に確認し易い。
【００１０】
請求項１から請求項３のうちいずれか一つの請求項の発明を前提とする請求項４の発明において、前記把持部２には刃体３６を支持する刃体支持部３を取着している。請求項４の発明では、請求項１から請求項３のうちいずれか一つの請求項の発明の効果をカッターで発揮させることができる。
【００１１】
次に、請求項以外の技術的思想について実施形態の図面の符号を援用して説明する。
【００１４】
請求項１から請求項４の発明のうちいずれか一つの発明を前提とする第５の発明において、前記蓋６は開口１３に対し着脱可能に支持されている。第５の発明では、より一層フィット感を良くするために蓋６の形態などを異にした各種の蓋６を利用することができる。
【００１５】
請求項１から請求項４の発明のうちいずれか一つの発明、または第５の発明を前提とする第６の発明において、前記開口１３は指当部２６の内面に対向するように開放されている。第６の発明では、指当部２６の内側に変態許容室２７例えば変形許容室２７をより一層容易に成形することができる。
【００１６】
請求項１から請求項４の発明のうちいずれか一つの発明、または第５〜６の発明のうちいずれか一つの発明を前提とする第７の発明において、前記把持部２は本体部４とその本体部４より柔軟な外壁部８とを有し、前記指当部２６はこの外壁部８に形成され、前記開口１３及び蓋６はこの本体部４に設けられている。第７の発明では、指当部２６を柔軟な外壁部８に設けたので、より一層フィット感を良くすることができるばかりでなく、その外壁部８より硬い本体部４で把持部２の剛性を保つことができるとともに、その本体部４で開口１３及び蓋６をより一層容易に成形することができる。
【００１７】
請求項１から請求項４の発明のうちいずれか一つの発明、または第５〜７の発明のうちいずれか一つの発明を前提とする第８の発明において、前記指当部２６の内側に設けた変態許容室２７例えば変形許容室２７の内周縁部２７ａは、前記開口１３の内周縁部１３ａ，１３ｂ，１３ｃ，１３ｄで囲まれた内側領域に配置されている。第８の発明では、開口１３を利用して変態許容室２７例えば変形許容室２７をより一層容易に成形することができる。
【００１８】
請求項１から請求項４の発明、または第６〜８の発明のうちいずれか一つの発明を前提とする第９の発明において、前記指当部２６の外面は凹凸部２６ａを有している。第９の発明では、その凹凸部２６ａが指当部２６の滑り止め機能を果たすことができる。
【００２０】
第７の発明を前提とする第１０の発明において、前記外壁部８は、指当部２６の外面と、指当部２６の外面に連続する把持面８ａとを有している。第１０の発明では、より一層フィット感を良くすることができるばかりでなく、外壁部８で指当部２６を一体成形することができる。
【００２２】
請求項４の発明を前提とする第１１の発明において、前記刃体３６は、刃体支持部３内に収容される状態と刃体支持部３から突出する状態とを取り得る。第１１の発明では、刃体３６を刃体支持部３に対し出没させることができるカッターで、請求項４の発明の効果を発揮させることができる。
【００２３】
第１１の発明を前提とする第１２の発明において、前記蓋６は、開口１３の内周縁部１３ａ，１３ｂ，１３ｃ，１３ｄに沿って嵌め込まれて開口１３のうち少なくとも一部を塞ぐ閉塞部１７と、開口１３の内周縁部１３ａ，１３ｂに支持される外縁部１８とを有し、この外縁部１８は前記刃体支持部３と開口１３の内周縁部１３ａ，１３ｂとの間で挟持されて位置決めされる。第１２の発明では、カッターにおいて、開口１３の内周縁部１３ａ，１３ｂに支持された蓋６の外縁部１８を刃体支持部３で挟持して蓋６を位置決めすることができるので、刃体支持部３を蓋６の位置決め手段として兼用することができる。
【００２４】
第１１〜１２の発明のうちいずれか一つの発明を前提とする第１３の発明において、前記蓋６は刃体支持部３と変態許容室２７例えば変形許容室２７との間に配置されている。第１３の発明では、柄１の把持部２と刃体支持部３との間で変態許容室２７例えば変形許容室２７及び蓋６をコンパクトに配置することができる。
【００２５】
第１１〜１３の発明のうちいずれか一つの発明を前提とする第１４の発明において、前記把持部２と刃体支持部３との間には替え刃体３５を収容する保管室３３を設け、前記蓋６はこの保管室３３に露出している。第１４の発明では、柄１の把持部２と刃体支持部３との間で変態許容室２７例えば変形許容室２７と蓋６と保管室３３とをコンパクトに配置することができる。
【００２６】
第１４の発明を前提とする第１５の発明において、前記把持部２と変態許容室２７例えば変形許容室２７と蓋６と保管室３３と刃体支持部３とが順に並設されている。第１５の発明では、柄１の把持部２と刃体支持部３との間で変態許容室２７例えば変形許容室２７と蓋６と保管室３３とをコンパクトに配置することができる。
【発明の効果】
【００２７】
本発明は、カッターなどの手動利器において、柄１を把持した際にフィット感をより一層向上させて使い勝手を良くすることができる。
【図面の簡単な説明】
【００２８】
【図１】（ａ）は手動利器であるカッターを示す正面図であり、（ｂ）は同じく背面図である。
【図２】（ａ）は上記カッターの柄のみを示す正面図であり、（ｂ）はこの柄において把持部から刃体支持部を分解した状態を示す正面図である。
【図３】（ａ）はこの柄の把持部において蓋を離脱させた状態を示す正面図であり、（ｂ）はこの蓋の内側を示す背面図であり、（ｃ）は図１（ａ）のＡ−Ａ線断面図である。
【図４】（ａ）は図３（ｃ）の部分拡大図であり、（ｂ）は図１（ａ）のＢ−Ｂ線拡大断面図である。
【発明を実施するための形態】
【００２９】
以下、本発明の一実施形態にかかる手動利器について図面を参照して説明する。
図１（ａ）（ｂ）に示すようにこの手動利器はカッターである。このカッターにおいて、図２（ａ）に示す柄１は、図２（ｂ）に示すように、把持部２と刃体支持部３とを有している。この把持部２は、図３（ａ）（ｂ）に示すように、ＡＢＳ樹脂などの硬質樹脂により互いに分離されて成形された主体部５と蓋６と尻栓７とからなる本体部４と、硬度ショアＡ３０〜ショアＤ５０の柔軟材（例えば柔軟樹脂やエラストマー樹脂やシリコーン樹脂）によりこの主体部５と一体的に成形された外壁部８とからなる。それらの成形の際には、マイナスドライバー１６をインサート成形した主体部５を金型にセットした後、外壁部８を成形する材料をその金型に射出してインサート成形する。
【００３０】
前記主体部５は、裏壁部９と、この裏壁部９の上下両側で前後方向へ延びるように形成されて上下方向で相対向する上壁部１０及び下壁部１１とを有している。この主体部５の表側へ開放された嵌着溝１２は、裏壁部９と上壁部１０と下壁部１１との間で前後方向へ延びて頭端部１２ａと尻端部１２ｂとでそれぞれ開放されている。この裏壁部９の前側には上下方向で相対向する上端縁部１３ａ及び下端縁部１３ｂと前後方向で相対向する前端縁部１３ｃ及び後端縁部１３ｄとで囲まれた開口１３が裏壁部９の表裏両側へ貫通するように形成されている。この上壁部１０の内側と下壁部１１の内側とにはそれぞれ前後方向へ延びる載置段部１４が頭端部１２ａと尻端部１２ｂとにわたり形成されている。この上下両載置段部１４には開口１３の上端縁部１３ａ及び下端縁部１３ｂに隣接して切欠部１４ａが形成されている。この開口１３の前端縁部１３ｃの前側に隣接して止めねじ孔１５が裏壁部９に形成されている。なお、尻端部１２ｂ側で下壁部１１には金属からなるマイナスドライバー１６が突出している。
【００３１】
前記蓋６は、上下方向の両側で対辺関係にある上端縁部１７ａ及び下端縁部１７ｂと前後方向の両側で対辺関係にある前端縁部１７ｃ及び後端縁部１７ｄとで囲まれた閉塞部１７と、上端縁部１７ａ及び下端縁部１７ｂから表側へ立ち上がる突壁部１８（外縁部）とを有している。この蓋６の内側には前端縁部１７ｃと後端縁部１７ｄとの間の中央部より後方で突部１９が形成されている。この突部１９の外周縁は楕円に近い形状をなし、この突部１９の表面は曲面であり、その表面において頂部から外周縁との間の外周面は頂部から外周縁に向かうに従い頂部から下るように傾斜し、その頂部を通る楕円の長軸は下側から上側に向かうに従い尻端部１２ｂ側へ傾斜している。この蓋６の閉塞部１７は前記主体部５の開口１３に嵌め込まれるとともに、この蓋６の上下両突壁部１８が上下両載置段部１４の切欠部１４ａに嵌め込まれる。その際には、この蓋６の突部１９が開口１３内に収容されるとともに、蓋６の上端縁部１７ａと下端縁部１７ｂと前端縁部１７ｃと後端縁部１７ｄとがそれぞれ開口１３の上端縁部１３ａと下端縁部１３ｂと前端縁部１３ｃと後端縁部１３ｄとに沿って略合致する。この蓋６は開口１３に対し着脱し得る。
【００３２】
前記尻栓７において、後側には刃体折り溝２０が形成されているとともに、上側には係止突起２１が形成されている。前記主体部５の上壁部１０には尻端部１２ｂ側で係止凹部２２が形成されている。この尻栓７は前記主体部５の嵌着溝１２の尻端部１２ｂ側に着脱可能に挿着され、その挿着の際に尻栓７の係止突起２１が上壁部１０の係止凹部２２に係入される。
【００３３】
この主体部５と一体的に成形された前記外壁部８は、主体部５の裏壁部９の外側に取着された裏壁部２３と、主体部５の上壁部１０の外側に取着された上壁部２４と、主体部５の下壁部１１の外側に取着された下壁部２５とを有している。この上壁部２４の頭端部１２ａ側には指当部２４ａが形成され、この下壁部２５の尻端部１２ｂ側には指当部２５ａが形成されている。この外壁部８の裏壁部２３と上壁部２４と下壁部２５との外側に形成された把持面８ａのうち、裏壁部２３の外側には前記主体部５の開口１３に面して指当部２６が形成されている。前記蓋６の突部１９はこの指当部２６の内面に対向している。この指当部２６の外面は、外側へ膨らむように突出して露出し、指当部２６の外周で把持面８ａに対し滑らかに連続している。この指当部２６の外面には多数の凹凸部２６ａが形成されている。この指当部２６の外周縁２６ｂは楕円に近い形状をなし、この指当部２６の外面は曲面であり、その外面において頂部から外周縁との間の外周面は頂部から外周縁に向かうに従い頂部から下るように傾斜している。その頂部を通る楕円の長軸は前後方向に沿って延びている。この指当部２６の内側には変態許容室としての変形許容室２７が指当部２６の内面や前記蓋６の内面に対し並んで形成されている。この変形許容室２７の内周縁部２７ａは、ほぼ楕円形状をなし、前記開口１３において上端縁部１３ａと下端縁部１３ｂと前端縁部１３ｃと後端縁部１３ｄとによりほぼ長方形状をなす内周縁部に内接してその内周縁部で囲まれた内側領域に配置されている。なお、図１（ｂ）に示すように、この指当部２６に対しその後方で隣接して主体部５の裏壁部９の一部９ａが外壁部８の裏壁部２３から把持面８ａ側へ露出している。
【００３４】
前記刃体支持部３は、金属により成形され、裏壁部２８と、この裏壁部２８の上下両側で前後方向へ延びるように形成されて上下方向で相対向する上壁部２９及び下壁部３０とを有している。この刃体支持部３の表側へ開放された嵌着溝３１は、裏壁部２８と上壁部２９と下壁部３０との間で前後方向へ延びて頭端部３１ａと尻端部３１ｂとでそれぞれ開放されている。この刃体支持部３は、前記把持部２の主体部５の嵌着溝１２に嵌め込まれ、その頭端部３１ａ側で嵌着溝１２の頭端部１２ａ側から突出している。その際、図３（ｃ）及び図４（ａ）（ｂ）に示すように、裏壁部２８の上下両側が前記主体部５の上下両載置段部１４に載置されて前記蓋６の上下両突壁部１８を挟持し、上壁部２９が前記主体部５の上壁部１０に当てがわれるとともに、下壁部３０が前記主体部５の下壁部１１に当てがわれる。この刃体支持部３の嵌着状態では、裏壁部２８の尻端部３１ｂ側で前記尻栓７に当てがわれた状態で、裏壁部９の止めねじ孔１５に対し止めねじ３２により螺着されているとともに、刃体支持部３の上壁部２９及び下壁部３０の尻端部２９ａ，３０ａが前記主体部５の上壁部１０及び下壁部１１の尻端部１０ａ，１１ａの内側に係止されている。なお、図２（ａ）に示すように、柄１の最大長さＬは約１８５ｍｍ、柄１の最大幅Ｗは約４０ｍｍに設定されている。
【００３５】
この刃体支持部３の裏壁部２８と前記主体部５の裏壁部９との間には保管室３３が形成され、この保管室３３の頭端部側は主体部５の裏壁部９の頭端部１２ａ側で閉塞されているが、この保管室３３の尻端部側は挿脱口部３４で開放されている。この挿脱口部３４は前記尻栓７により閉塞される。この保管室３３内には受台３５ａに載置されて保持された一枚または二枚以上の替え刃体３５ｂを収容することができ、その受台３５ａ及び替え刃体３５ｂを保管室３３に対し挿脱口部３４を通して挿脱することができる。
【００３６】
図３（ｃ）及び図４（ａ）（ｂ）に示すように、把持部２の外壁部８の指当部２６と、その指当部２６の内側の変形許容室２７と、把持部２の主体部５の裏壁部９に形成された開口１３に嵌め込まれて保管室３３に露出する蓋６と、保管室３３及びその保管室３３内の替え刃体３５と、刃体支持部３の裏壁部２８とが順次並設されている。
【００３７】
刃体支持部３の嵌着溝３１には刃体３６がスライダ３７に支持されて収容され、その刃体３６は刃体支持部３内に収容される状態と刃体支持部３内から突出する状態とを取り得る。
【００３８】
本実施形態は下記の効果を有する。
（１）  柄１を把持して把持部２の指当部２６に指の腹面や側面を当てがった際に指当部２６を把持部２の外側から押さえると、把持部２を押さえる力に応じて指当部２６が変形許容室２７により指当部２６の内側に変形する。従って、指が柄１に馴染み易くなり、フィット感を向上させて使い勝手を良くすることができる。
【００３９】
（２）  把持部２の内側で開放された開口１３を設けたので、指当部２６の内側に変形許容室２７を容易に成形することができる。また、その開口１３を蓋６により塞いだので、指当部２６に当てがった指により指当部２６を把持部２の外側から押さえた際に、指当部２６の内面が蓋６の内面に当接して指当部２６の変形を適度に抑制し、フィット感を向上させて使い勝手を良くすることができる。
【００４０】
（３）  指当部２６に当てがった指により指当部２６を把持部２の外側から押さえると、指が指当部２６の内面を介して変形許容室２７内の突部１９に引掛かる場合があるので、フィット感を向上させて使い勝手を良くすることができる。また、指当部２６の内面と突部１９の頂部との間に空間があるため、指当部２６が変形した際に、指当部２６の内面が突部１９の頂部に当接し、指当部２６を介して押した指でその突部１９の感触を確かめることもでき、より一層フィット感を良くすることもできる。
【００４１】
（４）  指当部２６の外面が把持部２の外側へ膨らんで突出しているので、指当部２６の外面に指を当てがった際に指が柄１に馴染み易くなり、フィット感を向上させて使い勝手を良くすることができる。また、指当部２６の膨らみにより、変形許容室２７をより一層確保することができるため、指当部２６の変形量を多くすることができ、種々の指の大きさや形状に対しフィットさせ易い。さらに、指当部２６の位置を視覚的に確認し易い。
【００４２】
（５）  開口１３の内周縁部（上端縁部１３ａ及び下端縁部１３ｂ）に支持された蓋６の外縁部１８を刃体支持部３で挟持して蓋６を位置決めすることができるので、刃体支持部３を蓋６の位置決め手段として兼用することができる。
【００４３】
前記実施形態以外にも例えば下記のように構成してもよい。
・  変態許容室としては、前述した変形許容室ばかりでなく、例えば、硬質材からなる指当部を支持するばねや磁石などを収容してその指当部の変位を許容する変位許容室であってもよい。また、そのばねや磁石により指当部を非押圧状態に復帰させるようにしてもよい。
【００４４】
・  指当部２６を把持部２の外側に複数設けてもよい。例えば、把持部２の前側ばかりでなく、把持部２の後側にも設けたり、把持部２の前側と後側とそれらの中間部とにそれぞれ設けたりすることができる。
【００４５】
・  開口１３と蓋６との間に生じる隙間を調節して指当部２６の変形抵抗を変更可能にし、使用用途や使用者の好みに応じた把持具合になるようにしてもよい。
・  指当部２６を一様な厚みにせず、指当部２６の外周部の厚みより頂部の厚みを薄くして、指当部２６を変形し易い形態にしてもよい。
【００４６】
・  蓋６の内面に複数の凸部を形成するとともに、指当部２６にはそれらの凸部に対向して複数の貫通孔を形成し、指当部２６を押さえた際に各凸部を各貫通孔から指当部２６の外側へ突出させて指に触れることができるようにしてもよい。
【００４７】
・  蓋６を省略してもよい。
・  蓋６の内面に複数の突部１９を設けてもよい。
・  指当部２６を把持部２の外壁部８の外側へ膨らませて突出させることなく外壁部８の把持面８ａとほぼ面一になるように平坦に設けてもよい。
【００４８】
・  カッターの柄１以外に、鋏の柄や剃刀の柄や包丁の柄やメス等の医療用ナイフの柄や彫刻刀の柄など、他の手動利器の柄に本発明を応用することができる。
・  把持部２において、外壁部８及びその指当部２６をそれぞれ主体部５に対し予め分離して成形した後に取着してもよい。また、主体部５としては樹脂以外に金属や木などであってもよく、外壁部８及びその指当部２６としては皮革や金属製薄板などであってもよい。
【００４９】
・  前記外壁部８の上壁部２４及び下壁部２５において指当部２４ａ，２５ａの内側には前記指当部２６と同様に変形許容室を設けてもよい。
・  硬さや形状などの特性が異なる複数の指当部を用意し、用途や使用者の好みに応じて指当部のみを交換可能にしてもよい。
【符号の説明】
【００５０】
１…柄、２…把持部、３…刃体支持部、６…蓋、１３…開口、１９…突部、２６…指当部、２７…変態許容室としての変形許容室、３６…刃体。
【図１】
0005575502.tif 000002
【図２】
0005575502.tif 000003
【図３】
0005575502.tif 000004
【図４】
0005575502.tif 000005